(57)【要約】【課題】連続的に動画を表示するスルー画表示を行う際に、長時間のスルー画表示に起因する画素欠陥を補正してノイズのない被写体像を表示及び記録することのできるデジタルカメラを提供する【解決手段】撮像部３１１によって取得された被写体画像データを基に液晶モニタ２６において連続的にＢモードでスルー画表示し、スルー画表示中に、撮影情報の表示等に切り換えるために行うスルー画表示の中止に応答して、後発画素欠陥情報の取得動作を実行し、これを第２記憶部２３６ｂに記憶し、画素欠陥補正部３１７は画素欠陥を補正して画像データとして出力する。【選択図】  図９
2007295312.tif 000002
【特許請求の範囲】
【請求項１】
撮像素子にて被写体像を取得する撮像手段と、
この撮像手段の画素欠陥情報を記憶している画素欠陥情報記憶手段と、
上記画素欠陥情報に基づき、上記撮像手段の出力に対して画素欠陥補正を行う画素欠陥補正手段と、
上記撮像手段から出力された画像データを表示装置に連続的に表示するスルー画表示手段と、
上記スルー画表示の中止に応答して後発画素欠陥情報の取得動作を実行する後発画素欠陥情報取得手段と、
上記後発画素欠陥情報に基づき、上記画素欠陥情報記憶手段の記憶内容を更新する画素欠陥情報更新手段と、
を具備していることを特徴とするデジタルカメラ。
【請求項２】
上記後発画素欠陥情報取得手段は、上記スルー画表示状態から他の表示状態への切り換わりに応じて上記後発画素欠陥情報の取得動作を実行することを特徴とする請求項１に記載のデジタルカメラ。
【請求項３】
上記他の表示状態は、撮影情報の表示、若しくは、カメラ動作の設定メニュー表示を含むことを特徴とする請求項２に記載のデジタルカメラ。
【請求項４】
上記画素欠陥情報記憶手段は、工場出荷時に記憶された先発画素欠陥情報を記憶するための第１記憶手段と、上記後発画素欠陥情報を記憶するための第２記憶手段を具備していることを特徴とする請求項１に記載のデジタルカメラ。
【請求項５】
上記後発画素欠陥情報取得手段は、上記撮像手段の暗時画像と上記先発画素欠陥情報に基づいて上記後発画素情報を取得することを特徴とする請求項４に記載のデジタルカメラ。
【請求項６】
上記後発画素欠陥情報取得手段は、シャッタエラーに起因する画素情報を除去した上で上記後発画素欠陥情報取得を取得することを特徴とする請求項１に記載のデジタルカメラ。
【請求項７】
撮像素子にて被写体像を取得する撮像手段と、
この撮像手段によって取得された画像データを表示装置に連続的に表示するスルー画表示手段と、
上記スルー画表示の中止に応答して画素欠陥情報の取得動作を実行する画素欠陥情報取得手段と、
この画素欠陥情報取得手段によって取得された画素欠陥情報に基づき上記撮像手段の出力に対して画素欠陥補正を行う画素欠陥補正手段と、
を具備し、
上記スルー画表示手段は、上記画素欠陥補正手段によって補正された画像データを表示することを特徴とするデジタルカメラ。
【請求項８】
上記スルー画表示に先立って、上記撮像手段の画素欠陥情報を事前に検出し、記憶する記憶手段を有し、上記画素欠陥補正手段は、上記事前に記憶された画素欠陥情報と上記スルー画表示中に上記画素欠陥情報取得手段によって取得された画素欠陥情報を用いて補正することを特徴とする請求項７に記載のデジタルカメラ。
【発明の詳細な説明】
【技術分野】
【０００１】
本発明は、スルー画表示機能を有するデジタルカメラに関し、詳しくは、撮像素子で繰り返し取得した画像を表示装置に動画像として表示する所謂スルー画表示機能（ライブビュー表示機能、電子ファインダ機能とも言う）を有するデジタルカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるスルー画表示機能を有したものが多くなってきている。
【０００３】
このようなスルー画表示機能をデジタルカメラに搭載した例として、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に液晶モニタに表示するようにしたデジタル一眼レフカメラが提案されている（特許文献１）。
【特許文献１】特開２００２−３６９０４２号公報
【０００４】
このようにスルー画表示機能を有するデジタルカメラが提案されているが、ここで使用されている撮像素子には、各画素の出力特性のバラツキなどに起因する画素欠陥によるノイズが存在する。このため撮像素子の出力信号をそのまま用いると有効な信号成分に画素欠陥によるノイズが重畳し、撮像画像の画質劣化の原因となる。特にスルー画表示のように長時間撮像動作を継続していると、撮像素子自体の温度が上昇し、画素欠陥が極端に多くなるという問題がある。
【０００５】
これらの画素欠陥を除去するために、ノイズリダクション機能を備えた電子スチルカメラが提案されている（特許文献２）。このノイズリダクション機能では、画像の撮像時に、まずシャッタを閉じた状態で撮像素子を露光し、これによって得られた暗時画像をメモリに記録する。続いて、シャッタが開いた状態で撮像素子を露光し、この露光によって得られる明時画像信号からメモリに記憶された暗時画像を減算する。この方法によると、暗時出力時に発生しているノイズ成分を差分により相殺することになるために、画素欠陥を除去することが可能である。
【特許文献２】特開２００６−５９１２号公報
【発明の開示】
【発明が解決しようとする課題】
【０００６】
しかしながら、特許文献２には、静止画の記録にあたってはノイズ除去を如何にして行うかが開示されているのみであって、連続的に動画が表示されるスルー画において、長時間に亘って表示を行っていた場合の表示画面に現われるノイズを如何に除去するには、特許文献２には開示されていない。
【０００７】
本発明は、このような事情を鑑みてなされたものであり、長時間のスルー画表示に起因する画素欠陥を補正してノイズのない被写体像を表示及び記録することのできるデジタルカメラを提供することを目的とする。
【課題を解決するための手段】
【０００８】
上記目的を達成するため第１の発明に係わるデジタルカメラは、撮像素子にて被写体像を取得する撮像手段と、この撮像手段の画素欠陥情報を記憶している画素欠陥情報記憶手段と、上記画素欠陥情報に基づき、上記撮像手段の出力に対して画素欠陥補正を行う画素欠陥補正手段と、上記撮像手段から出力された画像データを表示装置に連続的に表示するスルー画表示手段と、上記スルー画表示の中止に応答して後発画素欠陥情報の取得動作を実行する後発画素欠陥情報取得手段と、上記後発画素欠陥情報に基づき、上記画素欠陥情報記憶手段の記憶内容を更新する画素欠陥情報更新手段を具備する。
【０００９】
また、第２の発明に係わるデジタルカメラは、上記第１の発明において、上記後発画素欠陥情報取得手段は、上記スルー画表示状態から他の表示状態への切り換わりに応じて上記後発画素欠陥情報の取得動作を実行する。
さらに、第３の発明に係わるデジタルカメラは、上記第２の発明において、上記他の表示状態は、撮影情報の表示、若しくは、カメラ動作の設定メニュー表示を含んでいる。
さらに、第４の発明に係わるデジタルカメラは、上記第１の発明において、上記画素欠陥情報記憶手段は、工場出荷時に記憶された先発画素欠陥情報を記憶するための第１記憶手段と、上記後発画素欠陥情報を記憶するための第２記憶手段を具備する。
さらに、第５の発明に係わるデジタルカメラは、上記第４の発明において、上記後発画素欠陥情報取得手段は、上記撮像手段の暗時画像と上記先発画素欠陥情報に基づいて上記後発画素情報を取得する。
さらに、第６の発明に係わるデジタルカメラは、上記第５の発明において、上記後発画素欠陥情報取得手段は、シャッタエラーに起因する画素情報を除去した上で上記後発画素欠陥情報取得を取得する。
【００１０】
上記目的を達成するため第７の発明に係わるデジタルカメラは、撮像素子にて被写体像を取得する撮像手段と、この撮像手段によって取得された画像データを表示装置に連続的に表示するスルー画表示手段と、上記スルー画表示の中止に応答して画素欠陥情報の取得動作を実行する画素欠陥情報取得手段と、この画素欠陥情報取得手段によって取得された画素欠陥情報に基づき上記撮像手段の出力に対して画素欠陥補正を行う画素欠陥補正手段を具備し、上記スルー画表示手段は、上記画素欠陥補正手段によって補正された画像データを表示する。
また、第８の発明に係わるデジタルカメラは、上記第７の発明において、上記スルー画表示に先立って、上記撮像手段の画素欠陥情報を事前に検出し、記憶する記憶手段を有し、上記画素欠陥補正手段は、上記事前に記憶された画素欠陥情報と上記スルー画表示中に上記画素欠陥情報取得手段によって取得された画素欠陥情報を用いて補正する。
【発明の効果】
【００１１】
本発明のデジタルカメラにおいて、スルー画表示の中止に応答して後発画素欠陥情報の取得動作を実行する後発画素欠陥情報取得手段と、上記後発画素欠陥情報に基づき、上記画素欠陥情報記憶手段の記憶内容を更新する画素欠陥情報更新手段を設けたので、画素欠陥を補正してノイズのない被写体像を表示することのできるデジタルカメラを提供することができる。
【発明を実施するための最良の形態】
【００１２】
以下、図面を参照してこの発明を実施するための一実施形態を説明する。
図１は、この発明が適用されたデジタル一眼レフカメラの外観斜視図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１３】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１４】
モードダイヤル２２は回転可能に構成された操作部材であり、モードダイヤル上の図示しない撮影モードを表す記号や絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１５】
カメラ本体２０の背面には、液晶モニタ２６、再生釦２７、メニュー釦２８、十字キー３０、ＯＫ釦３１、ファインダ３３、スルー画切換釦３４、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、Ｘ方向とＹ方向の２次元方向にカーソルの移動を指示するための操作部材である。ＯＫ釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１６】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の２種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。これらの再生釦２７、メニュー釦２４、表示切換釦３５、プレビュー釦３６はいずれもオン・オフスイッチと連動しており、操作釦の操作に応じて発生する信号が後述するＡＳＩＣ(Application Specific Integrated Circuit  特定用途向け集積回路)２６３に送信される。液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。図示されないが、カメラ本体２０に対して角度を自在に変更できるよう構成されている。接眼部３３は、ファインダ光学系の接眼部であって、撮影者はこの接眼部３３を覗いて被写体像の確認を行うことができる。
【００１７】
図２は、本発明の実施形態に係わるデジタル一眼レフレックスカメラの光学的な概略構成を示すブロック図である。
レンズ鏡筒１０の内部に配置された撮影レンズ１０１の光軸上であって、カメラ本体２０内に第１反射ミラー２０１が配置されている。この第１反射ミラー２０１は、被写体光束をファインダ光学系に反射するために撮影レンズ１０１の光軸に対して４５度傾いた位置と、被写体像を撮像素子(後述のメインＣＣＤ（Charge Coupled Device）２２１)に導くために、撮影光路から退避した位置とに回動可能となっている。第1反射ミラー２０１の回動軸２０１ａはカメラ本体２０の高さ方向に沿っており、符号Ｒ回りに回動可能となっている。この第１反射ミラー２０１によって、カメラ本体２０の前面からみて右方に被写体光束を全反射する。なお、本実施形態では、右方に全反射しているが、これに限らず、カメラ本体の上方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１８】
第1反射ミラー２０１の反射光軸上にスクリーンマット２０５が配置され、この後方にハーフミラーで構成された第２反射ミラー２７１が配置されている。スクリーンマット２０５は撮影レンズ１０１による被写体光束を結像させるためのマット面であり、第１反射ミラー２０１からの距離がメインＣＣＤ２２１（図３参照）と等価な位置に配設されている。第２反射ミラー２７１はカメラ本体２０の上方に被写体光束の一部を反射させ、残りの被写体光束は第２反射ミラー２７１を透過し、後方に配置された測光用センサ２８１に入射する。測光用センサ２８１は被写体輝度を測定するための７×７の分割測光センサであり、ＡＳＩＣ２６３内の入出力回路２３９に接続されている。
【００１９】
第２反射ミラー２７１の反射光軸上に第３反射ミラー２７３が配置されており、この第３反射ミラー２７３によって、カメラ本体２０の上部左方に被写体光束が全反射される。この第３反射ミラー２７３の反射光軸上にハーフミラーで構成される第４反射ミラー２７５が配置されている。この第４反射ミラー２７５の透過光軸上には、結像レンズ２７７と二次元撮像素子としてファインダ内ＣＣＤ２７９が配置されている。ファインダ内ＣＣＤ２７９は、スクリーンマット２０５上に形成された被写体像を光電信号に変換しＣＣＤ駆動回路２８３（図３）に出力する。また、第４反射ミラー２７５はカメラ本体２０の後方に残りの被写体光束を反射し、この反射光軸上に接眼レンズ２０９が配置されている。第４反射ミラーで反射された被写体光束は、接眼レンズ２０９、ファインダ３３（図１）を通して撮影者Ｅによって被写体像として観察される。
【００２０】
図３は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００２１】
カメラ本体２０内には、前述した第１反射ミラー２０１が配置されており、第１反射ミラー２０１の右方（図３では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図３中では、Ｆ内ＣＣＤと略記）が配置されている。そして、第４反射ミラー２７５の反射光軸上には接眼レンズ２０９が配置されている。
【００２２】
上述の第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含むＴＴＬ位相差方式の測距回路２１７が配置されており、この回路は、レンズ１０１ａ、１０１ｂによって結像される被写体像の焦点ズレ量を検出するための回路である。温度検出回路２１６は、メインＣＣＤ２２１の近傍に配置されており、公知の熱電対、サーミスタ、測温抵抗体等を用いて温度検出を行い、検出結果を入出力回路２３９に出力する。
【００２３】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２４】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access
Memory）制御回路２３６、入出力回路２３９、通信回路２４１、記録媒体制御回路２４３、ビデオ信号出力回路２４７、スイッチ検出回路２５３が接続されている。
【００２５】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。また、フラッシュメモリ２３５の内部には、画素欠陥情報を記憶するための画素欠陥記憶部２３６が設けられており、後述するように第１記憶部２３６ａと第２記憶部２３６ｂとから構成されている（図９参照）。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２６】
上述のシャッタ駆動機構２１５、温度検出回路２１６、測距回路２１７、ミラー駆動機構２１９、ＣＣＤ駆動回路２２３、測光センサ２８１、ＣＣＤ駆動回路２８３、ＣＣＤ切換回路２８５を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２７】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、プレビュー釦３６、ＡＦ許可釦３７、レンズ検出スイッチ〈不図示〉等を含む各種スイッチ２５５（図３では各種ＳＷと略記）は、スイッチ検出回路２５３を介してデータバス２６１に接続されている。
【００２８】
次に、図４を用いて、本実施形態におけるデジタル一眼レフカメラの表示・動作モードの階層構造を説明する。
主要な表示・動作モードは、情報表示Ｍ１００、Ａモード表示Ｍ２００およびＢモード表示Ｍ３００の３種類である。情報表示Ｍ１００は、カメラ本体２０が電源オンとなった状態で初期設定されている。この情報表示モードは、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、ＩＳＯ感度、シャッタ速度、絞り値、補正値、画素数といった項目は、情報表示画面において十字キー３０を操作することによって項目を選択し、コントロールダイヤル２４の操作で数値を設定する。
【００２９】
Ａモード表示Ｍ２００は、スクリーンマット２０５に結像した被写体像をファインダ内ＣＣＤ２７９によって光電変換し、この光電変換信号に基づいて観察用の被写体像を液晶モニタ２６に表示するモードである。このモードでは、第１の反射ミラー２０１に備えられたサブミラー２０３を介して被写体光束が測距回路２１７に導かれるので、被写体像の観察と共に自動焦点検出動作も行うことができる。液晶モニタ２６での画面表示は、図１０（Ａ）に示すように、画面左下にＡモード表示であることを示すために「Ａ」（符号３０５参照）が表示されている。また、このモードではスクリーンマット２０５上に刻印されたＡＦフレーム３０３も視認できる。
【００３０】
Ｂモード表示Ｍ３００は、第１反射ミラー２０１を撮影光路から退避させ、シャッタ２１３を開放状態として、直接、被写体光束をメインＣＣＤ２２１上に結像させ、この被写体像を光電変換信号に変換し、この信号に基づいて観察用の被写体像を液晶モニタ２６に表示するモードである。このモードでは、ファインダ光学系中のハーフミラーを用いず、被写体光束を直接メインＣＣＤ２２１で受光することから、ＣＣＤ２２１に到達する光量の減少を防止でき、低輝度の被写体に対しても被写体像を十分表示することができる。なお、Ｂモード表示Ｍ３００においては、本来、オートフォーカスは不作動となっている。すなわち、第１の反射ミラー２０１が退避してしまうことから自動焦点検出は不作動となる。液晶モニタ２６の画面左下にＢモード表示であることを示すために、図１０（Ｂ）に示すように、「Ｂ」（符号３０７参照）が表示されている。また、このモードでは測距回路２１７による測距は不能であるので、Ａモード表示とは異なり、ＡＦフレームは表示されない。なお、Ａモード表示やＢモード表示を示すための符号は、「Ａ」「Ｂ」に限らず、「メインＣＣＤ」「ファインダ内ＣＣＤ」等、記号、文字、絵文字等でも良いことは勿論である
【００３１】
前述したように、カメラ本体２０を電源オンとしたときには、情報表示Ｍ１００が初期設定される。この情報表示Ｍ１００からＡモード表示Ｍ２００またはＢモード表示Ｍ３００への切換は表示切換釦３５を操作することによって行われる。この場合、表示切換釦３５を操作すると、直近に設定されていたＡモード表示Ｍ２００またはＢモード表示Ｍ３００に切換えられる。なお、工場出荷時には、Ａモード表示をデフォルト値としておくと（勿論、Ｂモード表示も可能である）、最初、表示切換釦３５を操作した際に、Ａモード表示Ｍ２００に切換わり、再度、表示切換釦３５を操作すると情報表示Ｍ１００に戻る。Ａモード表示Ｍ２００に設定された際に、スルー画表示切換釦３４を操作するとＢモード表示Ｍ３００に切換わり、この状態で、再度、スルー画表示切換釦３４を操作すると、Ａモード表示Ｍ２００に戻る。Ｂモード表示Ｍ３００で表示切換ボタン３５を操作すると情報表示Ｍ１００に戻る。つまり、情報表示Ｍ１００からＡモード表示Ｍ２００またはＢモード表示Ｍ３００への切換は、表示切換ボタン３５を操作することによって、直近に設定されていたモードに移行し、Ａモード表示Ｍ２００とＢモード表示Ｍ３００間の切換はスルー画表示切換釦３４によって行うよう構成されている。
【００３２】
ここで、Ａモード表示Ｍ２００とＢモード表示Ｍ３００のいずれかに設定されていたことは不図示の不揮発性メモリに記憶されているので、カメラ本体２０の電源がオフされたとしても、記憶が保持される。ただし、電源のオンに応じて、Ａモード表示かＢモード表示のいずれかにリセットするようにしても良いことは勿論である。なお、特殊なケースとして、レンズ鏡筒１０がカメラ本体２０から取り外されたことをレンズ検出スイッチ（不図示）によって検出した場合には、Ｂモード表示Ｍ３００から情報表示Ｍ１００に切換わる。
【００３３】
このように本実施形態では、被写体光束の光量は減少するが、自動焦点調節を行うことのできるＡモード表示と、自動焦点調節は不作動となるが、被写体光束の光量は減少せずに低輝度でも十分に被写体像を表示できるＢモード表示とを簡単な操作で切換えるようにしている。
【００３４】
次に、情報表示Ｍ１００の下部階層について説明する。情報表示Ｍ１００の状態で、プレビュー釦３６を押しオンとすると、プレビューＣが実行され（Ｍ１１０）、プレビュー釦３６から手を離しオフとすると、情報表示Ｍ１００に戻る。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、メインＣＣＤ２２１の出力を読み出し、記録用画像データを記録媒体２４５に記録する撮影動作Ｃを実行する（Ｍ１２１）。撮影動作が終了し、レリーズ釦２１の半押しを解除（１Ｒオフ）すると、情報表示Ｍ１００に戻る。また、メニュー釦２８をオンにすると、カードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面において、モードダイヤル２２、コントロールダイヤル２４や十字キー３０を操作して好みのモード・値に設定できる（Ｍ１４０）。
【００３５】
次にＡモード表示Ｍ２００の下部階層に移って、まず、Ａモード表示Ｍ２００でプレビュー釦３６を押しオンとすると、プレビューＡを実行する（Ｍ２１０）。プレビューＡは、設定された絞り値まで絞り１０３を絞り込んだ状態でメインＣＣＤ２２１からの画像信号に基づいて被写体像を液晶モニタ２６に表示するモードである。プレビュー釦３６から手を離し、オフとすることにより、プレビューモードを解除し、Ａモード表示Ｍ２００に戻る。Ａモード表示において、レリーズ釦２１が半押しされ１Ｒがオンとなると、撮影準備動作Ｍ１２０と同様に撮影準備が行われ（Ｍ２２０）、さらにレリーズ釦２１が全押しされ２Ｒがオンとなると、撮影動作Ａが行われる（Ｍ２２１）。また、メニュー釦２８をオンすると、メニュー画面が現わる（Ｍ２３０）。この状態で、十字キー３０を操作し、カーソルを移動させ項目を選択し、ＯＫ釦３１で所望の項目を決定し、メニュー表示Ｍ２３０に戻る（Ｍ２３１）。この表示状態でメニュー釦２８またはＯＫ釦３１のオンで、Ａモード表示Ｍ２００に戻る。
【００３６】
次に、Ｂモード表示Ｍ３００の下部階層に移って、まず、Ｂモード表示Ｍ３００でメニュー釦２８が押されオンになると、メニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、Ｂモード表示Ｍ３００に戻ることができる。Ｂモード表示状態で、レリーズ釦２１が半押しされていても、第１反射ミラーが退避状態にありシャッタが開放状態であるので、特に何も動作しないが、レリーズ釦２１が全押しされ２Ｒがオンとなると、メインＣＣＤからの画像信号に基づいて記録用画像データを記録媒体２４５に記録する撮影動作Ｂを実行する（Ｍ３２０）。また、プレビュー釦３６がオンとなると、絞り１０３の絞込み動作を行い、メインＣＣＤ２２１からの画像信号に基づいて液晶モニタ２６にスルー画表示を行うプレビューＢを実行する（Ｍ３３０）。このプレビューＢもプレビューＡと同様に、設定された絞り値まで絞り１０３を絞り込んだ状態でメインＣＣＤ２２１からの画像信号に基づいて被写体像を液晶モニタ２６に表示するモードである。
【００３７】
次に、図４に示したＡモード表示Ｍ２００について、図５に示すフローチャートを用いて説明する。
表示切換釦３５がオンとなるとファインダ内ＣＣＤ２７９からの出力に基づいて被写体像を表示するＡモード表示の動作を行う。まず、ファインダ内ＣＣＤ２７９の駆動条件を決めるために、ステップＳ１において、測光センサ２８１の出力に基づいて測光・露光量演算（即ち、被写体輝度値、シャッタスピードと感度を求める）を行う。次に、ファインダ内ＣＣＤ２７９を選択し（Ｓ３）、これに電源を供給する（Ｓ５）。続いて、ＣＣＤ駆動にあたっての電子シャッタスピードと感度の条件設定を行うために、ステップＳ１で求めた測光・露光量の演算結果を用いてスルー画条件設定１のサブルーチンを実行する（Ｓ７）。このサブルーチンの実行によって液晶モニタ２６に適切な明るさ（明度）の像を表示することができるが、このサブルーチンの詳細は図７を用いて後述する。スルー画条件設定１が終了すると、Ａモード表示を開始する（Ｓ９）。なお、スルー画表示動作の制御は、この開始指示を受けて画像処理回路２２７にて行われる。
【００３８】
次に、ステップＳ２と同様に再び測光・露光量演算を行い（Ｓ１１）、演算された露光量の表示を行う（Ｓ１３）。続いて、液晶モニタ２６におけるスルー画表示の明度を適切に保つためにスルー画条件設定２のサブルーチンを実行する（Ｓ１５）。ステップＳ７でのスルー画条件設定１は液晶モニタ２６でのスルー画表示前であったので、測光センサ２８１の出力に基づいて行ったが、スルー画条件設定２では、狙いとする明度と前回撮像結果に基づく画面明度と差分から次回撮像時の電子シャッタスピードと感度を決定する。なお、ここで、明度とは、例えば、ＣＣＤの各画素出力の加重平均値に対応した値である。この後、レリーズ釦２１が半押しされたかどうか、即ち、１Ｒがオンとなったかを判定する（Ｓ２１）。
【００３９】
判定の結果、１Ｒがオンの場合には、撮影動作時の露光制御に使用するための測光・露光量演算を行い（Ｓ２３）、測距・焦点調節のサブルーチンを実行する（Ｓ２５）。測距・焦点調節のサブルーチンは、測距回路２１７の出力に基づいてＴＴＬ位相差法により撮影レンズ１０１の焦点ズレ量を演算し、この焦点ズレ量に基づいてレンズ駆動量を演算し、レンズＣＰＵ１１１を介してレンズ駆動機構１０７を駆動し、ピント合わせを行う。続いて、レリーズ釦２１が全押しされたかどうか、即ち、２Ｒがオンとなったかを判定し、オフの場合には、レリーズ釦２１が半押しのままかどうかを判定し（Ｓ２９）、オンの場合には、ステップＳ２７とＳ２９を繰り返し実行する待機状態となる。この状態でレリーズ釦２１から撮影者の手が離れると、ステップＳ２９をＮで抜け、ステップＳ３７に移行する。一方、レリーズ釦２１の全押しがなされると、ステップＳ３１に進み、Ａモード表示を停止し、即ち、液晶モニタ２６でスルー画表示を行っていたことを止め、ファインダ内ＣＣＤ２７９の電源をオフし（Ｓ３３）、撮影動作Ａに移る（Ｍ２２１）。撮影動作Ａでは、第１反射ミラー２０１を撮影光路から退避させ、絞り１０３を設定値まで絞込み、シャッタ２１３を開放し、メインＣＣＤ２２１による撮像動作を行った後、第１反射ミラー２０１を反射位置に戻し、また絞り１０３とシャッタ２１３を初期位置に戻すという公知の動作を実行する。撮影動作Ａが終了すると、ステップＳ１に戻り、前述のステップを繰り返す。
【００４０】
ステップＳ２１に戻り、１Ｒがオフの場合には、ステップＳ４１において、プレビュー釦３６がオンかどうかを判定する。オンの場合には、Ａモード表示を固定し、即ち、液晶モニタ２６に表示されているスルー画としての表示用被写体画像の更新を行うことなく、そのまま保持する（Ｓ４３）。これは、プレビュー動作では絞り１０３が絞り込まれ、被写体輝度が低下する際に、スルー画条件の設定が十分追従できず、画像の明るさが不自然に変化する。この不自然な変化を防止するために、画像が安定するまで、スルー画の更新を停止するものである。この後、プレビューＡ（Ｍ２１０）に移り、絞り１０３を設定値に絞り込んだ状態でメインＣＣＤ２２１の出力に基づいて液晶モニタ２６に被写体像をスルー画表示する。このプレビューＡが終了すると、ステップＳ１に戻り、前述のステップを繰り返す。
【００４１】
ステップＳ４１に戻り、プレビュー釦３６がオフであった場合には、ステップＳ４５に進み、表示切換釦３５が押されたかどうか、即ち、オンかどうかを判定する。オンであった場合には、Ａモード表示Ｍ２００を終了して情報表示Ｍ１００に移る。ステップＳ４５に戻り、判定の結果、表示切換釦３５が押されていなかった場合、即ち、オフであった場合には、ステップＳ４７に進み、メニュー釦２８が押されたかどうか、即ち、オンかどうかを判定し、オンの場合には、図４で説明したメニュー表示Ｍ２３０に進む。メニュー釦２８がオフの場合には、ステップＳ４９に進み、スルー画切換釦３４がオンか否かを判定する（Ｓ４９）。オフだった場合には、いずれの釦も操作されていない状態であるので、ステップＳ１１に戻り、前述したフローを繰り返す。Ａモード表示Ｍ２００の状態で、スルー画表示釦３４が操作されると、前述したように、Ｂモード表示Ｍ３００に切換えられる。そこで、Ｓ４９でオンと判定された場合には、ステップＳ４１と同様に、Ａモード表示の固定を行ってから、Ｂモード表示（Ｍ３００）に進む。
【００４２】
次に図６を用いてＢモード表示Ｍ３００のフローを説明する。Ｂモード表示に入ると、まず、メインＣＣＤ２２１を選択し（Ｓ６１）、このメインＣＣＤ２２１に電源の供給を開始する（Ｓ６３）。次に、ステップＳ１と同様に、測光・露光量演算を行い（Ｓ６５）、第１反射ミラー２０１を軸２０１ａ回りに回動させ、撮影光路から退避させる（Ｓ６７）。続いて、フォーカルプレーンシャッタ２１３を開放状態とし（Ｓ６９）、被写体像をメインＣＣＤ２２１上に結像させる。ステップＳ７と同様に、スルー画表示条件の設定１のサブルーチンを実行し（Ｓ７１）、Ｂモード表示でのスルー画表示を開始させる（Ｓ７３）。Ａモード表示Ｍ２００からＢモード表示Ｍ３００に切換えた場合には、ステップＳ５１のＡモード表示固定からステップＳ７３のＢモード表示開始までの間、液晶モニタ２６の表示は固定されているが、このステップＳ７３においてＢモード表示、即ち、メインＣＣＤ２２１から出力される画像信号に基づくスルー画表示に切換わる。次に、ステップＳ７５において、タイマーをスタートさせステップＳ８１に進む。
【００４３】
ステップＳ８１では、レリーズ釦２１が全押しされているか、即ち、２Ｒがオンかを判定し、オンの場合には、撮影動作に進む。まず、液晶モニタ２６に表示されているスルー画表示を止め、即ちＢモード表示を停止し（Ｓ８３）、フォーカルプレーンシャッタ２１３と第１反射ミラー２０１を初期状態に戻す（Ｓ８５、Ｓ８７）。この後、撮影動作Ｂ（Ｍ３２０）に移り、シャッタ２１３を開放し、メインＣＣＤ２２１による撮像動作を行った後、絞り１０３とシャッタ２１３を初期位置に戻す。この撮影動作Ｂが終了すると、ステップ６１に戻り、前述のステップを繰り返す。ステップＳ８１に戻り、２Ｒがオフの場合にはステップＳ９１に進み、プレビュー釦３６がオンか否かを判定する。オンだった場合にはプレビュー動作に入り、Ｂモード表示の固定を行う（Ｓ９３）。これはステップＳ４３のＡモード表示の固定と同様、絞込み時に画像の明るさが不自然に変化することを防止するためである。この後、プレビューＢ（Ｍ３３０）に進み、絞り１０３を設定値に絞り込んだ状態で、メインＣＣＤ２２１の出力に基づいて液晶モニタ２６に被写体像をスルー画表示する。
【００４４】
ステップＳ９１に戻り、プレビュー釦３６がオフだった場合には、ステップＳ１０１にて表示切換釦３５がオンか否かの判定を行う。オンだった場合には、情報表示Ｍ１００に戻るが、その前にＢモード表示を終了するための処理をＳ１０３からＳ１０９にて行う。まず、Ｂモード表示を停止し（Ｓ１０３）、フォーカルプレーンシャッタ２１３を閉じ、第１反射ミラー２０１を退避位置からファインダ光学系に光束を反射する位置に復帰させる（Ｓ１０７）。続いて、画素欠陥検出のサブルーチンを実行する（Ｓ１０８）。このサブルーチンはＢモード表示Ｍ３００から情報表示Ｍ１００に切り換わるにあたって、画素欠陥を検出するものであって、詳しくは図８を用いて後述する。このサブルーチンからリターンすると、次に、メインＣＣＤ２２１の電源をオフしてから（Ｓ１０９）、情報表示Ｍ１００に移る。
【００４５】
ステップＳ１０１に戻り、表示切換釦３５がオフだった場合には、ステップＳ１１１に進みメニュー釦２８がオンか否かを判定する。判定の結果、オンだった場合には、メニュー表示Ｍ３１０表示を行うが、その前にＢモード表示でのスルー画表示を停止するための処理をステップＳ１１３からＳ１１９にて行う。この処理は、前述のステップＳ１０３からＳ１０９と同様であるので、説明は省略する。なお、ここでも画素欠陥検出のサブルーチンを実行している（Ｓ１１８）．これはＢモード表示からＭ３００からメニュー表示Ｍ３１０に切り換えるにあたって、画素欠陥を検出するものである（図８参照）。
【００４６】
ステップＳ１１１に戻り、判定の結果、オフだった場合には、ステップＳ１２１にてスルー画切換釦３４がオンか否かを判定する。判定の結果、オンだった場合には、Ｂモード表示Ｍ３００からＡモード表示Ｍ２００に切換えるが、その前にステップＳ１２３からＳ１２９にて切換処理を行う。まず、ステップＳ１２３にてＢモード表示の固定を行う。これは、ステップＳ７７と同様にスルー画表示モードの切換時の画像の乱れを防止するためである。続くステップＳ１２５からＳ１２９は、前述のステップＳ１０５からＳ１０９と同様であるので、説明は省略する。なお、ここでも画素欠陥検出のサブルーチンを実行している（Ｓ１２８）．これはＢモード表示からＭ３００からＡモード表示Ｍ２００に切り換えるにあたって、画素欠陥を検出するものである（図８参照）。
【００４７】
ステップＳ１２１に戻り、判定の結果、オフだった場合には、ステップＳ１３１に進み、カメラ本体２０からレンズ鏡筒１０が外されたか否かを、レンズ検出スイッチ〈不図示〉の出力に基づいて判定する。判定の結果Ｙｅｓだった場合、即ち、レンズ鏡筒１０が取り外された場合には、情報表示Ｍ１００を行う。Ｂモード表示では、第１反射ミラー２０１が撮影光路から退避し、フォーカルプレーンシャッタ２１３が開放状態となっている。このため、メインＣＣＤ２２１が外部に直接、露出した状態となってしまい、塵芥等が付着するおそれがある。したがって、Ｂモード表示Ｍ３００を終了することによって、メインＣＣＤ２２１の撮像面に塵芥等が付着することを防止する。Ｂモード表示を終了するために、ステップＳ１３３からＳ１３９にて処理を行うが、これらのステップは前述のステップＳ１０３からＳ１０９と同様であるので、説明は省略する。なお、ここでも画素欠陥検出のサブルーチンを実行している（Ｓ１３８）．これはＢモード表示からＭ３００から情報表示Ｍ１００に切り換えるにあたって、画素欠陥を検出するものである（図８参照）。
【００４８】
ステップＳ１３１に戻り、判定の結果、Ｎｏだった場合には、レンズ鏡筒１０は装着されたままであり、この場合には続いて、ステップＳ１４０およびステップＳ１４１において画素欠陥の検出が必要か否かの判定を行う。メインＣＣＤ２２１等の撮像素子は一般に周囲の温度が高くなると、イメージセンサ内の暗電流が増加し、画素欠陥に基づくノイズが目立ちやすくなる。そこで、本実施形態では、撮像素子の周囲の温度が所定値以上の場合であって、かつ所定時間が経過した場合には、画素欠陥の検出を行うようにしている。まず、温度検出回路２１６で検出された温度が所定温度以上か否かの判定を行う。所定温度以上であった場合には、ステップＳ１４１において、ステップＳ７５にてスタートしたタイマーが、所定時間が経過したか否かを判定する。判定の結果、Ｙｅｓであった場合には、撮像素子の周囲温度が所定値以上であり、かつＢモード表示を開始してから所定時間が経過しているので、ステップＳ１４９において、画素欠陥の検出を行う。この画素欠陥の検出に至るまでのステップは前述のステップＳ１０３からＳ１０８と同じであるので、説明は省略する。画素欠陥検出のサブルーチンが終了すると、ステップＳ６５に戻り、前述のステップを繰り返す。このように本実施形態においては、スルー画表示中に、ステップＳ１４０、Ｓ１４１においてメインＣＣＤ２２１の出力に後発画素欠陥が生じているか否かの予測を行い、被写体画像データに後発画素欠陥が生じていると予測された場合に、ステップＳ１４９において後発画素欠陥情報の取得動作を実行している。
【００４９】
ステップＳ１４０およびステップＳ１４１の両ステップの少なくとも１ステップにおいて、Ｎｏであった場合、すなわち、所定温度以下または所定時間が経過していなかった場合には、ステップＳ１５と同様に、スルー画表示の際の液晶モニタ２６の画像の明度の調整を行うスルー画条件の設定２のサブルーチン（Ｓ１５１）を実行した後、前述のステップＳ８１に進む。
【００５０】
本実施形態では、Ｂモード表示Ｍ３００に入るとステップＳ６１からＳ７５までの初期設定が終わると、ステップＳ８１、Ｓ９１、Ｓ１０１、Ｓ１１１、Ｓ１２１、Ｓ１３１、Ｓ１４０、Ｓ１４１、Ｓ１５１のループを順次処理することになる。このループを処理している際に、前述したように、撮像素子の周囲の温度が所定値以上の場合であって、かつ所定時間が経過した場合には、画素欠陥の検出を行うようにしている。ここで検出された画素欠陥は、後述するように、液晶モニタ２６でのスルー画表示あたっての画像補正に使用する。したがって、長時間Ｂモード表示を行ったり、また周囲温度が上昇した場合であっても、ノイズを除去したスルー画表示を行うことができる。さらに、Ｂモード表示から抜け出て、情報表示Ｍ１００、メニュー表示Ｍ３１０、プレビューＢ  Ｍ３３０、Ａモード表示Ｍ２００に移行する場合においても、画素欠陥の検出を行っているので、Ｂモード表示を行うことにより、ノイズが発生しやすくなったとしても、補正によりノイズ除去したスルー画表示を行うことができる。特に、スルー画表示の中止に伴って他の表示状態（撮影情報の表示やカメラ動作の設定メニュー表示、Ａモード表示等）に切り換わるにあたって、切り換えのための動作を行う必要があり、この期間を上手く利用し、画素欠陥の検出を行うようにしたので、切換時間を有効に活用することができる。
【００５１】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３又はＣＣＤ駆動回路２８３は、ここで設定・記憶されたＴＶ１とＳＶ１に基づいてＣＣＤ２２１又は２７９の駆動制御を行い、光電変換信号の読み出しを行う。ステップＳ２０７にてＴＶ１およびＳＶ１の設定が終了すると元のフローに戻る。
【００５２】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００５３】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００５４】
次に、画素欠陥検出のサブルーチンについて、図８を用いて説明する。ＣＣＤ等の撮像素子には、各画素の出力特性のバラツキ等に起因する固定パターンノイズが存在している。そのため撮像素子の出力をそのまま用いると有効な画像信号成分に上記ノイズが重畳してしまい、撮像画像の画質劣化の原因となってしまう。特にスルー画表示を長時間行う等の理由により、撮像素子自体の温度が上昇すると、ノイズが増加する傾向にある。このような固定パターンノイズは各画素の画素欠陥によって形成されるが、画素欠陥としては、個々の撮像素子自体に存在する画素欠陥（ここでは、「先発画素欠陥」と呼ぶ）と、スルー画表示を継続して行うことにより発生する画素欠陥（ここでは、「後発画素欠陥」と呼ぶ）がある。本実施形態では、先発画素欠陥については、工場出荷時に予め検出し、これをフラッシュメモリ２３５内の画素欠陥記憶部２３６に書き込んでおき、また後発画素欠陥については、Ｂモード表示動作中に画素欠陥を検出し、検出された後発画素欠陥についても、フラッシュメモリ２３５内の画素欠陥記憶部２３６に書き込み、情報の更新を行うようにしている。
【００５５】
画素欠陥検出のサブルーチンに入ると、まず暗時画像撮影を行う（Ｓ３０１）。画素欠陥検出を行うにあたっては、事前にシャッタ２１３の閉じ動作を行っており（Ｓ１０５、Ｓ１１５、Ｓ１２５、Ｓ１３５、Ｓ１４５）、ＣＣＤ２２１は遮光された状態となっている。この暗時画像撮影は、遮光状態で所定時間の間、撮像を行い、光電変換信号（暗時画像信号）の読み出しを行う。この読み出された暗時画像信号を用いて、中央平均レベルの算出を行う（Ｓ３０３）。ここでは、画像の中央部分の所定範囲を選択し、この範囲の光電変換信号のデジタル値の平均値の算出を行う。続いて、中央平均レベルが所定値以内か否かの判定を行う（Ｓ３０５）。画像信号のレベルは暗ければ暗いほど低く、明るくなると高くなる。今、シャッタ２１３の閉じ状態での撮像であるので、本来ならば、各画素の画像信号レベルは最小値のはずであるが、迷光が発生したり、またシャッタ不調等（以下、「シャッタエラー」と称す）があると、画像信号のレベルが高くなる。このような悪条件下で得た暗時画像信号に基づいて、画素欠陥検出を行うと、正しくノイズ除去ができなくなる。そこで、本実施形態においては、このようなシャッタ不調が生じている場合には、すなわち中央平均レベルが所定値以内でなかった場合には、画素欠陥の検出を行わず、リターンするようにしている。この場合には、後発画素欠陥に基づくノイズ除去を行うことはできないが、被写体像の観察を行うことはできる。
【００５６】
ステップＳ３０５において、中央平均レベルが所定値以内であった場合には、ステップＳ３０７に進む。本実施形態では、工場出荷段階において、画素欠陥の検出を行い、個々の撮像素子ごとに画素欠陥の存在する画素の座標を示す情報（先発画素欠陥情報）が、画素欠陥記憶部２３６の第１記憶部２３６ａ（図９参照）に書き込まれている。このステップＳ３０７では第１記憶部２３６に記憶されている先発画素欠陥情報の読出しを行う。続いて、読み出された先発画素欠陥情報を用いて、暗時画像信号の画素欠陥の補正を行う（Ｓ３０９）。暗時画像信号に基づく画像情報の内、画素欠陥のある座標位置に対応した画像情報は使用せず、暗時に対応した信号レベルに置き換えることにより欠陥の補正を行う。
【００５７】
このようにして先発画素欠陥情報を用いて補正された画像情報を用いて後発画素欠陥情報の検出を行う。これには、まず補正された画像情報から１画素ずつ読出しを行う（Ｓ３１１）。この読み出された１画素ごとの信号レベルが欠陥判定レベル以上か否かの判定を行う（Ｓ３１３）。画素欠陥がある場合には、黒レベルとはならないことから、ある一定以上の明るさに対応する信号レベルの場合には、欠陥が存在するとしてステップＳ３１５に進み、欠陥が発生した画素の座標をＳＤＲＡＭ２３７に一時記憶させる。ステップＳ３１３で欠陥判定レベル以上でなかった場合、またはステップＳ３１５でＳＤＲＡＭへの一時記憶が終了したらステップＳ３１７に進み、次の画素が有るかの判定を行う。判定の結果、全画素の読出しが終了しておらず次の画素が存在する場合には、ステップＳ３１１に戻り、前述のステップを繰り返す。
【００５８】
ステップＳ３１１からＳ３１５を繰り返し行い、暗時画像撮影に基づく画像情報の全画素について欠陥レベルの判定が終了すると、ステップＳ３１９に進む。このステップでは、ＳＤＲＡＭ２３７に後発欠陥画像となっている画素の座標情報が一時記憶されているので、この記憶された後発欠陥座標（後発画素欠陥情報）の読出しを行う。読み出された全ての後発画素欠陥情報はフラッシュメモリ２３５内の第２記憶部２３６ｂに記憶し（Ｓ３２１）、元のフローに戻る。画素欠陥検出のサブルーチンが実行されるたびに、第２記憶部２３６ｂには後発画素欠陥情報の更新が行われる。
【００５９】
次に、先発欠陥画像情報および後発画素欠陥情報の検出とスルー画の補正を行う構成について、図９に示すブロック機能図を用いて説明する。メインＣＣＤ２２１等を含む撮像３１１は画素ごとの画像情報を出力する。撮像部３１１の出力は、画素欠陥を検出する際には画素欠陥検出部３１３に出力され、通常のＢモード表示を行う場合には画素欠陥補正部３１７に出力される。画素欠陥検出部３１３は、前述の図８に示したフローに従って検出を行い、実質的にはシーケンスコントローラであるボディＣＰＵ２２９によって実行される。工場出荷段階で検出された先発画素欠陥情報は第１記憶部２３６ａに記憶され、またＢモード表示中である前述のステップＳ１０８、Ｓ１１８、Ｓ１２８、Ｓ１３８、Ｓ１４９で検出された後発画素欠陥情報は第２記憶部２３６ｂに記憶される。工場出荷段階で第１記憶部２３６ａに書き込まれた先発画素欠陥情報は原則、書き直されることはないが、第２記憶部２３６ｂに書き込まれた後発画素欠陥情報は、画素欠陥検出が行われるたびに後発画素欠陥情報は更新される。
【００６０】
画素欠陥補正部３１７は、撮像部３１１から画素ごとの画像情報と、画素欠陥情報記憶部２３６から先発および後発画素欠陥情報を受け、画素欠陥の補正を行うものであり、画像処理回路２２７によってその機能が担われている。この画素欠陥補正部３１７は、画素欠陥情報記憶部２３６に記憶されている先発および／または後発画素欠陥情報に基づいて、画素欠陥が生じている画素に対応した画像情報に対して、その画素の周囲の画像情報を用いて、公知の補間法を用いて補正する。この画素欠陥補正部３１７によって補正された画像情報は画像データとして出力され、液晶モニタ２６に表示される。なお、Ｂモード表示するにあたって、所定温度以上で所定時間が経過していない場合には、先発画素欠陥情報に基づいて画素欠陥補正部３１７は画像情報の補正を行い、所定温度以上で所定時間が経過した場合には、先発画素欠陥情報および後発画素欠陥情報の両方に基づいて画素欠陥補正部３１７は画像情報の補正を行っている。
【００６１】
なお、本実施形態においては、先発画素欠陥情報は工場出荷段階で書き込み動作を行っていたが、これに限らず、例えば、カメラ本体のリセット時等でもよく、また撮像素子の性能が確保できるならば省略しても良い。また、メインＣＣＤ２２１についてのみ後発画素欠陥情報の検出を行い、Ｂモード表示の場合の際に画像情報の補正を行っていたが、ファインダ内ＣＣＤ２７９についても同様に後発画素欠陥情報の検出と、Ａモード表示の場合の画像情報の補正を行っても良いことは勿論である。さらに、実施形態においては、検出された後発画素欠陥情報はスルー画表示に用いていたが、静止画の記録の際の補正に使用しても良いことは勿論である。
【００６２】
次に、本発明の一実施形態の第１の変形例について図１１を用いて説明する。一実施形態においては、後発画素欠陥の検出は所定温度以上かつ所定時間経過した場合に行っていたが、この第１の変形例は、所定時間経過したか否かだけで後発画素欠陥の検出を行うか決定している。構成としては、図３に示した全体回路ブロック図において温度検出回路２１６が不要になり、図１２に示すように所定温度以上かの判定（図６のＳ１４０）が削除されている以外は本発明の一実施形態と同様であるので、詳しい説明は省略する。
【００６３】
続いて、本発明の一実施形態の第２の変形例について説明する。一実施形態においては、温度と時間経過でもって後発画素欠陥の検出を行うか否かの判定を行っていたが、この第２の変形例では、メニュー表示で設定されたＩＳＯ感度と時間経過でもって後発画素欠陥の検出を行うようにする。このため、図６に示したフローにおけるステップＳ１４０を「所定ＩＳＯ以上？」に置き換えればよい。これによって、所定ＩＳＯ感度でもって所定時間以上Ｂモード表示を行った場合には、後発画素欠陥を検出し、画像情報の補正を行うことができる。一般に、高ＩＳＯの場合ほど画素欠陥が目立ちやすいことから、この第２の変形例によれば、高ＩＳＯ感度を設定した場合でも、ノイズの目立たないスルー画表示を行うことができる。
【００６４】
以上の変形例では、所定時間、所定温度および所定ＩＳＯ感度の内の１つ又は２の組み合わせであったが、これらの組み合わせで種々の変形例が得られる。例えば、第１の所定温度以上の場合かつ第１の所定時間が経過した場合、第２の所定温度（＞第１の所定温度）以上の場合かつ第２の所定時間（＞第１の所定時間）が経過した場合の組み合わせや、これらと同様に、所定時間と所定ＩＳＯ感度の組み合わせ、さらに３つの組み合わせ等が得られる。
【００６５】
以上の如く本発明の実施形態においては、所定温度で所定時間以上Ｂモード表示を行った場合には、ステップＳ１４９において画素欠陥検出を行い、ここで検出され書き込まれた後発画素欠陥情報に基づいて、画素欠陥補正部３１７は画像情報を補正している。このため液晶モニタ２６にスルー画表示される被写体像からノイズが除去され、大変見易くなる。また、画素欠陥検出を行うたびに後発画素欠陥情報を記憶する第２記憶部３２６ｂの記憶内容を更新したので、常に最新の後発画素欠陥情報に基づいて画像情報の補正することができる。
【００６６】
また、本発明の実施形態においては、画素欠陥検出はスルー表示から他の表示モード（例えば、撮影情報の表示やカメラ動作の設定メニュー表示）に移行する際に行っており、後発画素欠陥の生じ易いスルー画表示が終了した後でも画素欠陥の補正を行うことができ、ノイズを除去できる。さらに、本実施形態においては、後発画素欠陥情報を取得するにあたっては、暗時画像を用いて行っているので、Ｂモード表示中に発生した画素欠陥を検出することができる。さらに、本実施形態においては、画素欠陥検出を行うにあたって、事前にシャッタエラーが発生していないかチェックしてから行っているので、正しい画素欠陥情報を得ることができる。
【００６７】
本発明の実施形態の説明にあたっては、デジタル一眼レフカメラを例に挙げたが、これに限らず、撮像素子を有し、この撮像素子の出力に基づいてスルー画を表示することのできるデジタルカメラや電子撮像装置であれば適用できることは勿論である。
【図面の簡単な説明】
【００６８】
【図１】本発明の一実施形態に係わるデジタル一眼レフカメラの外観斜視図である。
【図２】本発明の一実施形態に係わるデジタル一眼レフレックスカメラの光学的な概略構成を示すブロック図である。
【図３】本発明の一実施形態に係るデジタル一眼レフカメラの全体構成を示すブロック図である。
【図４】本発明の一実施形態におけるデジタル一眼レフカメラの表示モードおよびその動作モード・メニューの階層構造を示すブロック図である。
【図５】本発明の一実施形態におけるＡモード表示のフローチャートである。
【図６】本発明の一実施形態におけるＢモード表示のフローチャートである。
【図７】本発明の一実施形態におけるスルー画条件の設定１とスルー画条件の設定２のフローチャートである。
【図８】本発明の一実施形態における画素欠陥検出のフローチャートである。
【図９】本発明の一実施形態における画素欠陥の検出と補正の機能をブロック化した図である。
【図１０】本発明の一実施形態の液晶モニタにおけるスルー画表示モードの表示画面であり、（Ａ）はＡモード表示、（Ｂ）はＢモード表示を示す。
【図１１】本発明の一実施形態の変形例におけるＢモード表示のフローチャートである。
【符号の説明】
【００６９】
１０  レンズ鏡筒
２０  カメラ本体
２１  レリーズ釦
２２  モードダイヤル
２３  パワースイッチ
２４  コントロールスイッチ
２６  液晶モニタ
２７  再生釦
２８  メニュー釦
３０  十字キー
３１  ＯＫ釦
３３  ファインダ
３４  スルー画切換釦
３５  表示切換釦
３６  プレビュー釦
２１３  フォーカルプレーンシャッタ
２２１  メインＣＣＤ
２２９  ボディＣＰＵ
２３５  フラッシュメモリ
２３６  画素欠陥記憶部
２３６ａ  第１記憶部
２３６ｂ  第２記憶部
２７９  ファインダ内ＣＣＤ
２２７  画像処理回路
２８５  ＣＣＤ切換回路
３１７  画素欠陥補正部
【図１】
2007295312.tif 000003
【図２】
2007295312.tif 000004
【図３】
2007295312.tif 000005
【図４】
2007295312.tif 000006
【図５】
2007295312.tif 000007
【図６】
2007295312.tif 000008
【図７】
2007295312.tif 000009
【図８】
2007295312.tif 000010
【図９】
2007295312.tif 000011
【図１０】
2007295312.tif 000012
【図１１】
2007295312.tif 000013